(57)【特許請求の範囲】
【請求項１】
新規にプリペイドカードを発券する際に、使用済みのプリペイドカードを回収するとともに、その使用済みのプリペイドカードの額面価格を含む情報を、その新規に発券するプリペイドカードに印字することを特徴とするプリペイドカード発券システム。
【請求項２】
前記使用済みのプリペイドカードに、その使用済みのプリペイドカードを発券する際に回収された別の使用済みプリペイドカードの額面価格を含む情報が印字されている場合には、その印字されている情報をも、前記新規に発券するプリペイドカードに印字することを特徴とする請求項１に記載のプリペイドカード発券システム。
【請求項３】
前記プリペイドカードは前記額面価格を含む情報を読み取り可能に記録できる磁気記録部を備えたことを特徴とする請求項１又は請求項２に記載のプリペイドカード発券システム。
【請求項４】
前記額面価格を含む情報を、前記使用済みのプリペイドカードの額面価格と、前記使用済みのプリペイドカードの数量と、前記使用済みのプリペイドカードの額面価格の合計金額と、としたことを特徴とする請求項１ないし請求項３のいずれか１の請求項に記載のプリペイドカード発券システム。
【請求項５】
使用済みのプリペイドカードを回収する回収手段と、回収された使用済みのプリペイドカードの額面価格を含む情報を認識する第１の認識手段と、認識した使用済みのプリペイドカードの額面価格を含む情報を新規に発券するプリペイドカードに印字する印字手段と、前記印字された新規に発券するプリペイドカードを利用者に対して発券する発券手段とを備えたことを特徴とするプリペイドカード発券システム。
【請求項６】
前記回収された使用済みのプリペイドカードに、その使用済みのプリペイドカードを発券する際に回収された別の使用済みプリペイドカードの額面価格を含む情報が印字されている場合には、その印字されている情報を認識する第２の認識手段を備え、前記印字手段は前記第２の認識手段が認識した前記情報をも新規に発券するプリペイドカードに印字することを特徴とする請求項５に記載のプリペイドカード発券システム。
【請求項７】
前記第１の認識手段及び前記第２の認識手段を、前記回収された使用済みのプリペイドカードの読み取り可能に記録できる磁気記録部から、その回収された使用済みのプリペイドカードの額面価格を含む情報及びその使用済みのプリペイドカードを発券する際に回収された別の使用済みプリペイドカードの額面価格を含む情報を読み込む読込手段とし、前記新規に発券するプリペイドカードの磁気記録部に前記第１の認識手段及び前記第２の認識手段が読み込んだ前記情報を読み取り可能に書き込む書込手段を備えたことを特徴とする請求項５又は請求項６に記載のプリペイドカード発券システム。
【請求項８】
前記額面価格を含む情報を前記使用済みのプリペイドカードの額面価格と、前記使用済みのプリペイドカードの数量と、前記使用済みのプリペイドカードの額面価格の合計金額と、としたことを特徴とする請求項５ないし請求項７のいずれか１の請求項に記載のプリペイドカード発券システム。
【発明の詳細な説明】
【０００１】
【発明の属する技術分野】
本発明は、プリペイドカード発券システムに関するものである。
【０００２】
【従来の技術】
従来、遊技店において遊技者は最初に券売機でプリペイドカードを購入してから遊技し、必要に応じて何回もプリペイドカードを購入して遊技を続行している。
【０００３】
【発明が解決しようとする課題】
しかしながら、遊技者が既にどれだけの金額を使用したかを直ちに知ろうとしてもその確認が困難であるという問題があった。すなわち、遊技者は複数回にわたってプリペイドカードを購入するが、遊技に集中している遊技者にとって使用した金額をすべて記録したり記憶しておくことは煩雑であった。また、多数枚たまる使用済みのプリペイドカードを遊技終了まで全部所持して保管して、使用した金額を確認できるようにしておくことも遊技者にとって煩わしかった。更に、使用金額の記録、記憶、又は所持する使用済みのプリペイドカードの額面価格を足し合わせて全使用金額を確認する作業も遊技者にとって煩わしかった。また、遊技前に所持金額を確認しておくとともに遊技中に所持金額を確認して、その差額から全使用金額を計算することも遊技者にとっては煩わしい作業であった。
【０００４】
また、かかる全使用金額を直ちに確認することの困難さにより、遊技者が遊技に夢中になって次々とプリペイドカードを購入し、遊技前に遊技者が予定した金額を越えて所持金を遊技に使用してしまうという問題もあった。
更に、遊技に夢中になった遊技者が使用済みのプリペイドカードを廃棄することを忘れて島台カウンターに放置することが多く、遊技店にとって使用済みのプリペイドカードの回収作業の負担が大きいという問題もあった。
【０００５】
本発明は、上記した従来の技術の問題点を除くためになされたものであり、その目的とするところは、プリペイドカードの利用者が使用した金額を容易に知ることができるようにすることにあり、また、使用済みプリペイドカードを回収する労力を減少させることにある。
【０００６】
【課題を解決するための手段】
本発明は、その課題を解決するために以下のような構成をとる。請求項１の発明は、新規にプリペイドカードを発券する際に、使用済みのプリペイドカードを回収するとともに、その使用済みのプリペイドカードの額面価格を含む情報を、その新規に発券するプリペイドカードに印字するプリペイドカード発券システムであることを特徴とする。
【０００７】
新規に発券するプリペイドカードには、回収された使用済みのプリペイドカードの額面価格を含む情報が印字記録されるので、利用者はこの印字記録を見て回収されたプリペイドカードの購入に使用した金額を知ることができる。また、使用済みのプリペイドカードを効率的に回収することもできる。
なお、新規に発券されるプリペイドカードに印字される情報の内容は、回収された使用済みのプリペイドカードの額面価格についての情報のみであってもよく、また、新規に発券されるプリペイドカードの額面価格についての情報を加えたものであってもよい。回収された使用済みのプリペイドカードの額面価格についての情報のみが印字されている場合には、利用者は印字内容を見て回収されたプリペイドカードの額面価格を知り、これに新規に発券されたプリペイドカードの額面価格を加算して使用した金額の合計を知ることができる。新規に発券されるプリペイドカードの額面価格についての情報も加えて印字されている場合には、利用者はこの印字内容を見るだけで使用した金額の合計を知ることができる。
【０００８】
更に、具体的な印字内容としては、回収されたプリペイドカードの額面価格及び新規に発券されたプリペイドカードの額面価格を合計した金額を利用者が直接又は間接に知ることができる内容であればよく、回収したプリペイドカードの額面価格の情報を印字することが可能であり、回収されたプリペイドカードの額面価格と新規に発券されたプリペイドカードの額面価格との情報を列挙して印字することも可能であり、回収されたプリペイドカードの額面価格と新規に発券されたプリペイドカードの額面価格の合計金額の情報を印字することも可能である。また、販売されているプリペイドカードの額面価格が１種類しかない場合には、額面価格の代わりに購入したプリペイドカードの枚数の情報を印字することも可能である。
【０００９】
そして、印字される額面価格、額面価格の合計、購入枚数の情報を数字、文字又は記号を用いて表示することができ、利用者がこれらの数字、文字又は記号を見て使用した金額を直接知り、又は算出することができる。
請求項２の発明は、前記使用済みのプリペイドカードに、その使用済みのプリペイドカードを発券する際に回収された別の使用済みプリペイドカードの額面価格を含む情報が印字されている場合には、その印字されている情報をも、前記新規に発券するプリペイドカードに印字する請求項１に記載のプリペイドカード発券システムであることを特徴とする。
【００１０】
回収された使用済みプリペイドカードに、その使用済みのプリペイドカードを発券する際に回収した別の使用済みプリペイドカードの額面価格を含む情報が印字されている場合がある。このときは、新規に発券されるプリペイドカードに、この回収された使用済みプリペイドカード自体の額面価格を含む情報と共に、この回収された使用済みプリペイドカードを発券したときに回収された別の使用済みプリペイドカードの額面価格を含む情報も加えて印字される。したがって、回収された全ての使用済みプリペイドカードの額面価格に関する情報が新規に発券されるプリペイドカードに累積して印字されることとなり、利用者は回収された全てのプリペイドカードに使用した全金額を直接知り又は算出できる。
【００１１】
印字される内容としては、全ての回収されたプリペイドカードの額面価格の情報を列挙して印字することが可能であり、全ての回収されたプリペイドカードの額面価格の種類毎に額面価格と枚数の情報を列挙して印字することも可能であり、全ての回収されたプリペイドカードの額面価格の合計金額の情報を印字することも可能である。また、プリペイドカードの額面価格が１種類しかない場合には、額面価格を省略して購入枚数の情報のみ印字することも可能である。
【００１２】
請求項３の発明は、前記プリペイドカードは前記額面価格を含む情報を読み取り可能に記録できる磁気記録部を備えた請求項１又は請求項２に記載のプリペイドカード発券システムであることを特徴とする。
プリペイドカードの情報を磁気記録部に記録するので、情報の書き込みや読み取りを機械により迅速かつ正確に行うことができ、利用者は使用した金額に関して正確な情報を得ることができる。
【００１３】
請求項４の発明は、前記額面価格を含む情報を、前記使用済みのプリペイドカードの額面価格と、前記使用済みのプリペイドカードの数量と、前記使用済みのプリペイドカードの額面価格の合計金額と、とした請求項１ないし請求項３のいずれか１の請求項に記載のプリペイドカード発券システムであることを特徴とする。
使用済みのプリペイドカードの額面価格を含む情報が、プリペイドカードの額面価格と、使用済みのプリペイドカードの数量と、使用済みのプリペイドカードの額面価格の合計金額とからなり、これらの情報が新規に発券されるプリペイドカードに印字されるので、利用者は使用した金額の明細を知ることができる。
【００１４】
請求項５の発明は、使用済みのプリペイドカードを回収する回収手段と、回収された使用済みのプリペイドカードの額面価格を含む情報を認識する第１の認識手段と、認識した使用済みのプリペイドカードの額面価格を含む情報を新規に発券するプリペイドカードに印字する印字手段と、前記印字された新規に発券するプリペイドカードを利用者に対して発券する発券手段とを備えたプリペイドカード発券システムであることを特徴とする。
【００１５】
新規に発券するプリペイドカードに印字された情報より、利用者は回収されたプリペイドカードに使用した金額を知ることができるとともに、使用済みのプリペイドカードを効率的に回収できる。
請求項６の発明は、前記回収された使用済みのプリペイドカードに、その使用済みのプリペイドカードを発券する際に回収された別の使用済みプリペイドカードの額面価格を含む情報が印字されている場合には、その印字されている情報を認識する第２の認識手段を備え、前記印字手段は前記第２の認識手段が認識した前記情報をも新規に発券するプリペイドカードに印字する請求項５に記載のプリペイドカード発券システムであることを特徴とする。
【００１６】
新規に発券されるプリペイドカードには、回収された全ての使用済みプリペイドカードの額面価格を含む情報が累積して印字されるので、利用者は回収された全てのプリペイドカードに使用した全金額を直接知り又は算出することができる。
請求項７の発明は、前記第１の認識手段及び前記第２の認識手段を、前記回収された使用済みのプリペイドカードの読み取り可能に記録できる磁気記録部から、その回収された使用済みのプリペイドカードの額面価格を含む情報及びその使用済みのプリペイドカードを発券する際に回収された別の使用済みプリペイドカードの額面価格を含む情報を読み込む読込手段とし、前記新規に発券するプリペイドカードの磁気記録部に前記第１の認識手段及び前記第２の認識手段が読み込んだ前記情報を読み取り可能に書き込む書込手段を備えた請求項５又は請求項６に記載のプリペイドカード発券システムであることを特徴とする。
【００１７】
プリペイドカードの額面価格を含む情報を磁気記録部に記録するので、情報の書き込みや読み取りを機械により迅速かつ正確に行うことができる。
請求項８の発明は、前記額面価格を含む情報を前記使用済みのプリペイドカードの額面価格と、前記使用済みのプリペイドカードの数量と、前記使用済みのプリペイドカードの額面価格の合計金額と、とした請求項５ないし請求項７のいずれか１の請求項に記載のプリペイドカード発券システムであることを特徴とする。
【００１８】
使用済みのプリペイドカードの額面価格に関する詳細な情報が新規に発券されるプリペイドカードに印字されるので、利用者は使用した金額の明細を知ることができる。
【００１９】
【発明の実施の形態】
本発明の実施の形態を図面に基づいて説明する。
まず、図１ないし図５を参照して本発明の構成を説明する。
図１に示すように、遊技店には、新規プリペイドカード５０Ｎを発券するための券売機１０、従来のものと同様のプリペイドカードユニット６０及び従来のものと同様の遊技機６４が設置されている。遊技者は最初に券売機１０で希望する額面価格の新規プリペイドカード５０Ｎを購入し、この新規プリペイドカード５０Ｎをプリペイドカードユニット６０に投入して必要量の遊技球６２を借り出し、借り出した遊技球６２を使って遊技機６４で遊技し、必要に応じて新規プリペイドカード５０Ｎを追加購入する構成となっている。
【００２０】
そして、図２に示すように、券売機１０はその正面に遊技者が購入するプリペイドカード５０の券種を特定する券種選択ボタン１２、プリペイドカード５０の代金を投入するための硬貨挿入口１４と紙幣挿入口１６、投入代金を返却したり釣銭を排出する硬貨返却口１８と紙幣返却口２０、新たに発券される新規プリペイドカード５０Ｎを排出する発券口２６が配設されている。また、発券口２６は、遊技者が先に購入して使用を終えた他のプリペイドカード（以下、「遊技者が先に購入して使用を終えた他のプリペイドカード」を「使用済カード」という。）５０Ｕを券売機１０に投入するための挿入口としても機能するように構成されている。
【００２１】
また、使用済カード無ボタン２２が券売機１０の正面に配設されており、遊技者はこの使用済カード無ボタン２２によって、新規プリペイドカード５０Ｎに印字記録する使用済みカード５０Ｕの有無を券売機１０に指示する。使用済みカード５０Ｕがない場合には遊技者は使用済カード無ボタン２２よりその旨の信号を発し、使用済カード５０Ｕがある場合には遊技者は使用済カード無ボタン２２を押さずに使用済みカード５０Ｕを連続して発券口２６から投入し、後述する読取部３２が使用済カード５０Ｕの情報を読み取る構成となっている。全ての使用済カード５０Ｕの投入を終えると遊技者は使用済カード無ボタン２２を押して、これ以上投入する使用済カード５０Ｕは無い旨の信号を発する。
【００２２】
次に、券売機１０の内部に構成されている内部回路２８の構成について、図３を参照して説明する。
内部回路２８は制御部３０、読取部３２、書込部３４、印字部３６、入出金処理部３８、発券部４０及び図示しないＲＯＭとＲＡＭから構成されている。制御部３０は各部の制御を行うとともに、受信する信号に基づいて演算処理を行い処理結果を各部へ返す。読取部３２は従来のものと同様の図示しない第１の磁気ヘッドを読取手段として有し、遊技者が券売機１０に投入する使用済カード５０Ｕの後述する磁気記録部５２に記録された情報を読み取る。書込部３４は従来のものと同様の図示しない第２の磁気ヘッドを書込手段として有し、新規プリペイドカード５０Ｎの磁気記録部５２に制御部３０が得た所定の演算処理結果の情報を書き込む。印字部３６は従来のものと同様の図示しない印字装置を有し、新規プリペイドカード５０Ｎの後述する使用金額表示欄５４へ制御部３０が得た所定の演算処理結果の情報を印字記録する。入出金処理部３８は券売機１０に投入された金銭の判別と処理を行い、従来のものと同様の図示しない紙幣・硬貨判別装置を有する。発券部４０は磁気記録部５２に所定の情報を磁気記録され使用金額表示欄５４に所定の情報を印字記録された新規プリペイドカード５０Ｎを、発券口２６から排出して遊技者に発券する。ＲＯＭは演算プログラム等が格納されている従来のものと同様のリードオンリメモリであり、ＲＡＭはプログラムが処理される過程で各種データが一時的に格納される従来のものと同様のランダムアクセスメモリである。
【００２３】
更に、券売機１０の内部には図示しない保管場所と廃棄場所が設けられており、この保管場所には未使用のプリペイドカード５０及び入金されたり釣銭として払い出される紙幣及び貨幣が管理保管されており、廃棄場所には回収した使用済カード５０Ｕが保管されている。また、従来のものと同様の図示しない紙幣・貨幣搬送装置が券売機１０の内部に設けられており、硬貨挿入口１４、紙幣挿入口１６、前記紙幣・硬貨判別装置、前記保管場所、硬貨返却口１８及び紙幣返却口２０の間で紙幣や硬貨を搬送する。更に、従来のものと同様の図示しないカード搬送装置が券売機１０の内部に設けられており、前記保管場所、前記第２の磁気ヘッド、前記印字装置及び発券口２６の間で新規プリペイドカード５０Ｎを搬送するとともに、発券口２６、前記第１の磁気ヘッド及び前記廃棄場所の間で使用済カード５０Ｕを搬送する。
【００２４】
また、プリペイドカード５０は紙もしくはプラスチックなどで構成されており、図５に示すように、カードの裏面の一部に磁性体を塗布した磁気記録部５２が形成されている。この磁気記録部５２には、遊技球６２の貸し出しに伴って順次更新される残額が磁気記録されるとともに、このプリペイドカード５０自身と使用済カード５０Ｕを合わせた券種別の購入枚数に関する情報が磁気記録される。また、プリペイドカード５０の裏面の一部には使用金額表示欄５４が形成されており、使用金額表示欄５４にはプリペイドカード５０の券種毎の購入枚数及び合計使用金額が印字記録される。
【００２５】
本発明は上記のように構成されており、次にその作用について説明する。
遊技店に来店した遊技者は、新規プリペイドカード５０Ｎを券売機１０より１枚購入する。このときの券売機１０における処理の流れを図２ないし図４を参照して説明する。最初に、遊技者は新規プリペイドカード５０Ｎを購入するための紙幣又は硬貨を硬貨挿入口１４と紙幣挿入口１６から投入する（Ｓ１）。投入された硬貨と紙幣は、前記紙幣・硬貨搬送装置によって入金処理部３８の前記紙幣・硬貨判別装置へ搬送される。前記紙幣・硬貨判別装置が投入された金額を判別し、入出金処理部３８から投入金額の情報が制御部３０へ送信される。制御部３０は投入金額の合計を計算し、投入金額の合計がＲＡＭに記憶される。投入金額の判別を終了した硬貨と紙幣は前記紙幣・硬貨搬送装置によって前記保管部へ搬送される。
【００２６】
次いで、遊技者は投入金額の範囲内で、購入を希望する新規プリペイドカード５０Ｎの券種を選択して券種選択ボタン１２を押す（Ｓ２）。選択された券種の情報は制御部３０へ送信されＲＡＭに記憶される。
次いで、遊技者は使用済カード５０Ｕをまだ所持していないので、使用済カード無ボタン２２を押してその旨を制御部３０へ送信する（Ｓ３）。制御部３０は使用済カード５０Ｕが無い旨の信号に基づいて、プリペイドカード５０の券種毎の購入枚数として新規プリペイドカード５０Ｎの券種の購入枚数に「１」の数字を与え、全使用金額としてこの新規プリペイドカード５０Ｎの額面価格の数字を与えてＲＡＭに記憶する（Ｓ７）。
【００２７】
そして、制御部３０はプリペイドカード５０の券種毎の購入枚数の情報を書込部３４へ送信する。同時に、前記保管場所から遊技者が選択した券種の未使用のプリペイドカードが、新規プリペイドカード５０Ｎとして書込部３４の前記第２の磁気ヘッドへ前記カード搬送装置により搬送される。書込部３４は券種毎の購入枚数の情報を新規プリペイドカード５０Ｎの磁気記録部５２に第２の磁気ヘッドを用いて磁気記録する（Ｓ８）。
【００２８】
次いで、第２の磁気ヘッドによって磁気記録された新規プリペイドカード５０Ｎは、印字部３６の前記印字装置へ前記カード搬送装置により搬送される。同時に、制御部３０は券種毎の購入枚数及び全使用金額の情報を印字部３６へ送信する。印字部３６は券種毎の購入枚数と全使用金額を、新規プリペイドカード５０Ｎの使用金額表示欄５４に前記印字装置を用いて印字記録する（Ｓ９）。
そして、制御部３０は印字記録終了後に新規プリペイドカード５０Ｎを排出する旨の信号を発券部４０へ送信し、発券部４０は新規プリペイドカード５０Ｎを発券口２６へ前記カード搬送装置により搬送して排出する（Ｓ１０）。また、制御部３０は投入金額と新規プリペイドカード５０Ｎの額面価格の差額を計算し、その差額を入出金処理部３８へ送信し、入出金処理部３８は差額に相当する紙幣及び貨幣を前記保管部から前記紙幣・硬貨搬送装置により硬貨返却口１８及び紙幣返却口２０へ搬送して釣銭として排出する。
【００２９】
新規プリペイドカード５０Ｎを購入した遊技者は、図１に示すように、新規プリペイドカード５０をプリペイドカードユニット６０に投入して遊技球６２を借り受け、借り受けた遊技球６２を用いて遊技機６４で遊技する。遊技者が遊技を続けてプリペイドカード５０の残額が無くなると、遊技者の手元には使用済カード５０Ｕが残る。遊技を続行する場合、遊技者は再び券売機１０より新規プリペイドカード５０Ｎを１枚購入することとなる。
【００３０】
次に、遊技者が再び新規プリペイドカード５０Ｎを購入する場合の券売機１０における処理の流れを図２ないし図４を参照して説明する。遊技者が紙幣又は硬貨を硬貨挿入口１４と紙幣挿入口１６から投入し（Ｓ１）、券種選択ボタン１２を押して券種を選択する（Ｓ２）のは最初に新規プリペイドカード５０Ｎを購入する場合と同様である。
そして、遊技者は使用済カード無ボタン２２押さずに、使用済カード５０Ｕを発券口２６から投入する。制御部３０は使用済カード無ボタン２２からの信号を受信しておらず、使用済カード５０Ｕが発券口２６へ投入されるので、使用済カード５０Ｕがあると判断する（Ｓ３）。投入された使用済みカード５０Ｕは前記カード搬送装置によって前記第１の磁気ヘッドに搬送される。
【００３１】
そして、読取部３２が使用済カード５０Ｕの磁気記録部５２に記録されている券種毎の購入枚数の情報を前記第１の磁気ヘッドによって読み取って（Ｓ４）、その読み取った情報を制御部３０へ送信する。遊技者が使用済カード５０Ｕを複数枚所持している場合は、これらの使用済カード５０Ｕを発券口２６から連続して投入する。読取部３２は使用済カード５０Ｕから情報の読み取りを連続して行い、制御部３０へ読み取った情報を送信することを繰り返す。遊技者は所持する全ての使用済カード５０Ｕを投入し終わると使用済カード無ボタン２２を押し、読取部３２が読み取るべき情報はこれ以上無い旨を制御部３０に送信する。
【００３２】
次いで、制御部３０は読取部３２から送信された情報に基づいて券種毎の購入枚数と全使用金額についての計算を行う（Ｓ５）。具体的には、全ての券種毎に購入枚数を加算し、今回購入する券種の枚数には更に１を加え、今回の購入を含めた全ての券種毎の購入枚数の合計を得てＲＡＭに記憶する。また、制御部３０は各購入枚数に各券種の額面価格を掛け合わせたうえで合算して全使用金額を得て同じくＲＡＭに記憶する。
【００３３】
また、情報の読み取りが終わった使用済カード５０Ｕは前記カード搬送装置によって前記廃棄場所へ搬送され廃棄物として保管される（Ｓ６）。
次いで、制御部３０は券種毎の購入枚数の情報を書込部３４へ送信する。書込部３４の前記第２の磁気ヘッドへは、新規プリペイドカード５０Ｎが前記保管場所から前記カード搬送装置によって搬送されている。書込部３４は新規プリペイドカード５０Ｎの磁気記録部５２に券種毎の購入枚数の情報を前記第２の磁気ヘッドを用いて磁気記録する（Ｓ８）。
【００３４】
次いで、第２の磁気ヘッドによって磁気記録された新規プリペイドカード５０Ｎは印字部３６の前記印字装置へ前記カード搬送装置により搬送される。同時に、制御部３０はプリペイドカード５０の券種毎の購入枚数の情報及び全使用金額の情報を印字部３６へ送信する。印字部３６はこれらの情報を新規プリペイドカード５０Ｎの使用金額表示欄５４に前記印字装置を用いて印字記録する（Ｓ９）。
【００３５】
次いで、制御部３０は印字記録終了後に印字記録を終えた新規プリペイドカード５０Ｎを排出する旨の信号を発券部４０へ送信し、発券口２６へ新規プリペイドカード５０Ｎが前記カード搬送装置により搬送され排出される（Ｓ１０）。また、制御部３０は投入金額と新規プリペイドカード５０Ｎの額面価格の差額を計算し、その差額を入出金処理部３８へ送信し、入出金処理部３８は差額に相当する紙幣及び貨幣を前記保管部から前記紙幣・硬貨搬送装置により硬貨返却口１８及び紙幣返却口２０へ搬送し釣銭として排出する。
【００３６】
したがって、遊技者は新規プリペイドカード５０Ｎの裏面上の使用金額表示欄５４に既に購入したプリペイドカード５０の券種毎の枚数及び合計使用金額を見て正確に知り、遊技者が予定以上に所持金を使用することを防止でき、遊技者が使用済カード５０Ｕを最後まで全部所持して保管しておく必要はなく、また遊技者が使用済カード５０Ｕの額面価格を記録したり記憶する必要もなく、遊技店は使用済カード５０Ｕを労力をかけずに回収することができる。
【００３７】
なお、本実施の形態において新規プリペイドカード５０Ｎの使用金額表示欄５４に券種毎の購入枚数の情報及び全使用金額の情報を印字記録するとして図５にその印字例を示したが、使用金額表示欄５４への印字記録する形式はこれに限定されるものでないことは勿論であり、遊技者が直接又は間接に全使用金額を知ることができる印字内容であれば足りる。たとえば、全使用金額の数字だけを印字記録することも可能であり、券種、購入枚数、金額を記号化して印字記録することも可能である。
【００３８】
また、新規プリペイドカード５０Ｎの購入に際して、その購入日付の情報をも磁気記録部５２へ記録する（Ｓ８）こととし、更に、券種毎の購入枚数の情報は使用済カード５０Ｕの購入日付毎に計算し（Ｓ５、Ｓ７）、購入日付毎の計算した結果を磁気記録部５２へ記録し（Ｓ８）、券種毎の購入枚数の情報及び全使用金額の情報を購入日付毎に分けて新規プリペイドカード５０Ｎの使用金額表示欄５４に印字する（Ｓ９）ことも可能である。これにより、遊技日当日とは別の日に購入した使用済カード５０Ｕを遊技者が持っていても、遊技日当日の全使用金額を知ることができる。
【００３９】
更に、磁気記録部５２を磁性体を塗布して形成することとしたが、代わりにＩＣチップをプリペイドカード５０に埋め込んで形成することも可能である。
また、第１の磁気ヘッドと第２の磁気ヘッドを別々に形成せずに１つの磁気ヘッドとすることも可能である。
また、必要に応じて使用金額表示欄５４へその他の遊技者への情報を適宜印字することも可能である。
【００４０】
【発明の効果】
本発明は、上記のようなプリペイドカード発券装置であるので、使用済みのプリペイドカードを効率よく回収することができ、利用者はプリペイドカード購入に使用した金額を容易に知ることができる。
【図面の簡単な説明】
【図１】遊技店に設置されたプリペイドカード発券システムの概略説明図である。
【図２】本発明の実施の形態に係る券売機の斜視図である。
【図３】本発明の実施の形態に係る券売機の構成を示すブロック図である。
【図４】本発明の実施の形態に係る券売機における処理を示す流れ図である。
【図５】本発明の実施の形態に係るプリペイドカードの裏面印字例の説明図である。
【符号の説明】
１０  券売機
１２  券種選択ボタン
１４  硬貨挿入口
１６  紙幣挿入口
１８  硬貨返却口
２０  紙幣返却口
２２  使用済カード無ボタン
２６  発券口
２８  内部回路
３０  制御部
３２  読取部
３４  書込部
３６  印字部
３８  入出金処理部
４０  発券部
５０  プリペイドカード
５２  磁気記録部
５４  使用金額表示欄
６０  プリペイドカードユニット
６２  遊技球
６４  遊技機
【図１】
0003816388.tif 000002
【図２】
0003816388.tif 000003
【図３】
0003816388.tif 000004
【図４】
0003816388.tif 000005
【図５】
0003816388.tif 000006